【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
２つの対面する外表を有する合成ポリマーフォーム基質の乾燥した偏平状シート形態の創傷包帯であり、１つ目の外表は創傷床に向き合うよう設定されており、２つ目の外表は外部環境に曝露し、前記基質が開放導管ポリマーフォームおよび少なくとも１つのゲル形成親水性多糖を含み、前記多糖が前記フォーム内開放導管内面に乾燥形態で配置されている、創傷包帯。
【請求項２】
前記開放導管ポリマーフォームがポリウレタン、セルロース派生物、ポリオレフィン、塩化ポリビニル、フッ化ポリビニル、ポリ（ビニルイミダゾール）、ポリアクリラート、エチレン酢酸ビニル共ポリマー、ポリスチレン、およびポリエチレンオキシドからなる群から選択される物質を含み、好ましくは、前記ポリウレタンがポリエステルポリウレタン、ポリエーテルポリウレタンおよび架橋ポリウレタンからなる群から選択される、または、
前記開放導管ポリマーフォームが開放導管ポリウレタンを含み、好ましくは、前記ポリウレタンがポリエステルポリウレタン、ポリエーテルポリウレタンおよび架橋ポリウレタンからなる群から選択される、または、
前記開放導管ポリマーフォームが実質的に非生物分解性である、または、
前記ゲル形成親水性多糖が、ヒアルロン酸；硫酸グリコサミノグリカン；キトーサン；アルギン酸塩；ヒドロキシエチルセルロース；カルボキシメチルセルロース；セルロース派生物；ペクチン；アラビアゴム、それらの医薬上許容可能な塩および派生物ならびにそれらの組み合わせからなる群から選択され、好ましくは、前記ゲル形成親水性多糖がヒアルロン酸またはその医薬上許容可能な塩もしくは派生物である、
請求項１に記載の創傷包帯。
【請求項３】
前記多糖が前記フォームの少なくともの１つの対面する外表に乾燥形態でさらに配置されている、請求項１に記載の創傷包帯。
【請求項４】
前記多糖が前記フォームの創傷床に向き合うよう設定されている外表に配置されている、または、
前記多糖が前記フォームの対面する両外表に乾燥形態で配置されている、
請求項３に記載の創傷包帯。
【請求項５】
前記フォームの乾燥シート厚が水和前に約２〜約１２ｍｍである、または、
前記親水性多糖が約０．００１グラム〜約１．０グラム／ｃｍ３ポリマーフォームの量で存在し、好ましくは、前記親水性多糖が約０．００１グラム〜約０．０１グラム／ｃｍ３ポリマーフォームの量で存在する、
請求項１の創傷包帯。
【請求項６】
前記開放導管ポリマーフォームが開放導管ポリウレタンを含み、前記ゲル形成親水性多糖がヒアルロン酸またはその医薬上許容可能な塩もしくは派生物であり、好ましくは、前記ヒアルロン酸が約０．００１グラム〜約０．０１グラム／ｃｍ３ポリウレタンフォームの量で存在する、請求項１に記載の創傷包帯。
【請求項７】
前記ポリマーフォーム内導管直径が約３００μｍ〜約５０００μｍであり、好ましくは、前記導管直径が約３００μｍ〜約１０００μｍであり、より好ましくは、前記導管直径が約５００μｍである、または、
前記ポリマーフォーム内導管の少なくとも７５％が前記フォームの対面する外面間で実質的に連続している、または、
前記ポリマーフォームが約２００〜約５００個の導管開口部／ｃｍ２を有する、または、
前記ポリマーフォーム基質の密度が約０．１〜約０．４ｇ／ｃｍ３である、または、
コルチコステロイド、増殖因子、殺菌剤、静菌剤、抗生剤、追加の多糖および植物抽出体からなる群から選択される医薬品成分をさらに含み、前記医薬品成分が前記フォーム基質の創傷床と直接接触することを目的としていない外表に配置されている、
請求項１に記載の創傷包帯。
【請求項８】
前記ポリマーフォーム基質が開放導管ポリウレタンフォームを含み、前記ポリウレタンフォーム内導管直径が約３００μｍ〜約１０００μｍであり、前記少なくとも１つの多糖がヒアルロン酸またはその医薬上許容可能な塩もしくは派生物を含み、約０．００１グラム〜約０．０１グラム／ｃｍ３ポリウレタンフォームの量で存在する、請求項１に記載の創傷包帯。
【請求項９】
前記ポリウレタンフォーム内導管直径が約５００μｍである、または、
前記ヒアルロン酸が前記ポリウレタンフォーム内導管内面および前記ポリウレタンフォームの１つの対面する外表に乾燥形態で配置されている、または、
前記ヒアルロン酸が前記ポリウレタンフォーム内導管内面およびポリウレタンフォームの創傷床に向き合うように設定されている外表に乾燥形態で配置されている、
請求項８に記載の創傷包帯。
【請求項１０】
それを必要としている対象における創面切除された創傷の治癒を促進する、請求項１〜９のいずれかに記載の創傷包帯。
【請求項１１】
前記創傷包帯が酵素デブリードマン手順後に酵素的に創面切除された創傷床上で適用され、前記酵素デブリードマン手順がブロメライン派生物、デブリダーゼ、コラーゲナーゼ、パパイン派生物、ストレプトキナーゼ、スティラインズ、フィブリノリジン、デオキシリボヌクレアーゼ、オキアミ派生物、トリプシンおよびそれらの組み合わせからなる群から選択される酵素の適用を含む、または、
前記創傷床の起源が、静脈性下肢潰瘍、圧力潰瘍、糖尿病性足潰瘍、熱傷からなる群から選択され、好ましくは、全層性熱傷、部分層性熱傷、切断創傷、分層植皮術、植皮ドナー部位、外傷、咬傷、凍傷、皮膚剥離、および外科的創傷からなる群から選択される、または、
前記創傷包帯を創傷床上で少なくとも１週間、好ましくは、創傷床上で最長２週間、あるいは、好ましくは、上皮化が完成するまで維持する、または、
前記フォームの創傷床と向き合わない外表が、コルチコステロイド、増殖因子、殺菌剤、静菌剤、抗生剤、追加の多糖および植物抽出体からなる群から選択され、好ましくは、溶液、エマルジョン、油、フォーム、ゲル、乳脂および軟膏からなる群から選択される状態である、医薬品を含む、
請求項１０に記載の創傷包帯。
【請求項１２】
それを必要としている対象における酵素的に創面切除された創傷床を治療する、請求項１〜８のいずれかに記載の創傷包帯。
【請求項１３】
前記創傷床が、ブロメライン派生物、デブリダーゼ、コラーゲナーゼ、パパイン派生物、ストレプトキナーゼ、スティラインズ、フィブリノリジン、デオキシリボヌクレアーゼ、オキアミ派生物、トリプシンおよびそれらの組み合わせからなる群から選択される酵素で治療される、または、
前記創傷床の起源が、静脈性下肢潰瘍、圧力潰瘍、糖尿病性足潰瘍、熱傷からなる群から選択され、好ましくは、全層性熱傷、部分層性熱傷、切断創傷、分層植皮術、植皮ドナー部位、外傷、咬傷、凍傷、皮膚剥離、および外科的創傷からなる群から選択される、または、
前記創傷包帯を創傷床上で少なくとも１週間維持し、好ましくは、前記創傷包帯を創傷床上で最長２週間維持する、あるいは、好ましくは、前記創傷包帯を創傷床上で上皮化が完成するまで維持する、または、
前記フォームの創傷床と向き合わない外表が、コルチコステロイド、増殖因子、殺菌剤、抗生剤、追加の多糖および植物抽出体からなる群から選択され、好ましくは、溶液、エマルジョン、油、フォーム、ゲル、乳脂および軟膏からなる群から選択される形態にある医薬品を含む、
請求項１２に記載の創傷包帯。
【請求項１４】
（ｉ）溶液形態のヒアルロン酸を、ポリウレタンフォームの少なくとも１つの外表に、前記外表を覆うように適用する工程；ならびに（ｉｉ）（ｉ）で得られるフォームを減圧乾燥させる工程を含む、請求項６に記載の前記創傷包帯を産生する方法。
【請求項１５】
前記過程が工程（ｉｉｉ）前記フォーム内開放導管への親水性ポリマー溶液の注入をさらに含み、前記（ｉｉｉ）が（ｉｉ）の前に行われ、好ましくは、（ｉｉｉ）が遠心分離、負圧の適用、正圧の適用および真空の適用からなる群から選択される操作を含む、または、
（ｉ）におけるポリウレタンフォームの外表に適用したヒアルロン酸の量が、前記ポリウレタンフォームの外表の約１．０〜約１０．０ｍｇ／ｃｍ２である、
請求項１４に記載の方法。